(57)【要約】【課題】表示装置を収納する機器であっても、認証情報の入力による認証を受けることができ、盗難防止効果を高めることができる表示装置付電子機器、その制御方法及び制御プログラムを提供する。【解決手段】ディスプレイ１３０を備え、ディスプレイ１３０が機器に収納される閉状態と、ディスプレイ１３０が視認可能な開状態との間を変位可能な表示パネルＤ、表示パネルＤを駆動する駆動機構、ＣＡＴＳコードを記憶する記憶部１０１、開状態のときに、ＣＡＴＳコードを入力するタッチパネル、入力されたＣＡＴＳコードと、記憶されたＣＡＴＳコードとが一致するか否かを判定する判定部１０２、一致しないと判定された場合に、表示パネルＤが閉状態となるように、駆動機構に指示する開閉指示部１０３を有する。【選択図】図５
2008242051.tif 000002
【特許請求の範囲】
【請求項１】
表示画面を備え、前記表示画面が機器に収納される閉状態と、前記表示画面が視認可能な開状態との間を変位可能な表示装置と、前記表示装置を駆動する駆動機構と、を有する表示装置付電子機器において、
認証情報を記憶する認証情報記憶手段と、
前記開状態のときに、認証情報を入力する入力手段と、
前記入力手段により入力された認証情報と、前記認証情報記憶手段に記憶された認証情報とが一致するか否かを判定する判定手段と、
前記判定手段により認証情報が一致しないと判定された場合に、前記表示装置が閉状態となるように、前記駆動機構に指示する閉指示手段と、
を有することを特徴とする表示装置付電子機器。
【請求項２】
前記表示装置が閉状態となった後、機器の機能の全部若しくは一部を不能とする不能手段を有することを特徴とする請求項１記載の表示装置付電子機器。
【請求項３】
認証機能を有効にする切替手段と、
前記切替手段から入力があった場合に、前記表示装置が開状態となるように、前記駆動機構に指示する開指示手段と、
を有することを特徴とする請求項１又は請求項２記載の表示装置付電子機器。
【請求項４】
前記表示画面に認証情報の入力画面を表示させる表示制御手段を有することを特徴とする請求項１〜３のいずれか１項に記載の表示装置付電子機器。
【請求項５】
前記入力手段は、前記表示画面に設けられたタッチパネルであることを特徴とする請求項１〜４のいずれか１項に記載の表示装置付電子機器。
【請求項６】
表示画面を備え、前記表示画面が機器に収納される開状態と、前記表示画面が視認可能な視認位置との間を移動可能な表示装置と、前記表示装置を駆動する駆動機構と、を有する表示装置付電子機器を、コンピュータ又は電子回路により制御する表示装置付電子機器の制御方法において、
前記コンピュータ又は電子回路は、認証情報記憶手段と、切替手段と、開指示手段と、入力手段と、判定手段と、閉指示手段と、不能手段とを有し、
前記認証情報記憶手段が、認証情報を記憶し、
前記切替手段が、認証機能を有効にし、
前記開指示手段が、前記切替手段が認証機能を有効とした場合に、前記表示装置が開状態となるように、前記駆動機構に指示し、
前記入力手段が、認証情報を入力し、
前記判定手段が、前記入力手段により入力された認証情報と、前記認証情報記憶手段に記憶された認証情報とが一致するか否かを判定し、
前記閉指示手段が、前記判定手段により認証情報が一致しないと判定された場合に、前記表示装置が閉状態となるように、前記駆動機構に指示し、
前記不能手段が、前記表示装置が閉状態となった後、機器の機能の全部若しくは一部を不能とすることを特徴とする表示装置付電子機器の制御方法。
【請求項７】
表示画面を備え、前記表示画面が機器に収納される開状態と、前記表示画面が視認可能な視認位置との間を移動可能な表示装置と、前記表示装置を駆動する駆動機構と、を有する表示装置付電子機器を、コンピュータにより制御する表示装置付電子機器の制御プログラムにおいて、
前記コンピュータに、
認証情報を記憶させる処理と、
認証機能を有効にさせる処理と、
認証機能を有効とした場合に、前記表示装置が開状態となるように、前記駆動機構に指示させる処理と、
認証情報を入力させる処理と、
入力された認証情報と、記憶された認証情報とが一致するか否かを判定させる処理と、
認証情報が一致しないと判定された場合に、前記表示装置が閉状態となるように、前記駆動機構に指示させる処理と、
前記表示装置が閉状態となった後、機器の機能の全部若しくは一部を不能とさせる処理と、
を実行させることを特徴とする表示装置付電子機器の制御プログラム。
【発明の詳細な説明】
【技術分野】
【０００１】
本発明は、開閉式の表示装置を備えた電子機器に係り、特に、認証機能を備えた表示装置付電子機器、その制御方法及び制御プログラムに関するものである。
【背景技術】
【０００２】
近年、車載用の電子機器は多機能化が進んでおり、その利用可能な記録媒体が、ＣＤやＭＤ等の音響用ばかりでなく、ＤＶＤ、ＣＤ−ＲＯＭといった映像用のものにまで広がっている。これと同時に、従来の機能表示のみの表示装置ではなく、ナビゲーション用の画像、ＴＶやＤＶＤの映像等の種々の表示できるように、比較的大型の表示装置を備えた車載用電子機器が一般的になりつつある。
【０００３】
但し、車内の限られたスペースでは、大型化には限界がある。そこで、小さなスペースで、できる限り大型の表示装置を使用できるように、種々の工夫が行われている。例えば、１ＤＩＮサイズと呼ばれる１８０×５０（ｍｍ）に収める必要がある機器の場合には、使用していない状態では、表示装置を水平方向にして機器内に収納できるようにしたものが開発されている。これにより、機器の設置スペースに制約されることなく、比較的大型の表示画面の表示装置を使用することが可能となる。
【０００４】
ところで、車載用の電子機器は、高価で取り引されるため、盗難に遭う可能性が高い。これに対処するため、多くの車載用の電子機器は、盗難防止機能を備えている。盗難防止のための機能としては、例えば、ＣＡＴＳコードと呼ばれる認証情報を入力し、認証を受けるソフト的なものと、ＤＣＰ（Detachable control panel)と呼ばれる着脱可能なパネルを用いるハード的なものがある。
【０００５】
ＤＣＰは、図７及び図８に示すように、操作パネルＰを、本体Ｓから取り外すことにより、本体Ｓを使用不能とすることにより、盗難防止を図るものである。本体Ｓへの操作パネルＰの装着は、図９に示すように、操作パネルＰ側と本体Ｓ側に設けられた係合部等を係合させることにより行われる。なお、図７〜９において、Ｄは、収納された表示パネルである。
【０００６】
かかるＤＣＰによる盗難防止技術としては、特許文献１、特許文献２に示すようなものが開示されている。
【特許文献１】特開平６−１４０７６８号公報
【特許文献１】特開２０００−８５４８４号公報
【発明の開示】
【発明が解決しようとする課題】
【０００７】
上記のように、使用していない時に、表示パネルが本体内に収容されているタイプの機器の場合には、使用開始前には、表示画面が見えない状態となっている。このため、使用しようとするユーザがＣＡＴＳコードを入力しようとしても、その入力を目で確認することができない。従って、１ＤＩＮサイズの表示装置収納型機器の場合には、ＣＡＴＳコードの認証機能そのものが無いか、機能が存在したとしても、コードが正しく入力されているかどうかがユーザに分かり難く、入力作業が困難であった。
【０００８】
例えば、現在の車載用機器においては、情報の入力作業は、表示装置の表示画面に構成されたタッチパネルを用いることが便利である。しかし、収納型の表示装置の場合、表示画面が収納されているため、タッチパネルを使用してＣＡＴＳコードを入力することは、不可能である。仮に、ボタン操作によるコード入力が可能であっても、コード入力が正しくされているかどうかを確認できず、入力作業中のユーザに非常に判り難い。
【０００９】
以上のことから、表示装置を収納するタイプの機器では、盗難防止策として、ＤＣＰのみを用いるしかなく、セキュリティを高めたり、状況によって使い分けたりすることができなかった。
【００１０】
本発明は、上記のような従来技術の問題点を解決するために提案されたものであり、その目的は、表示装置を収納する機器であっても、認証情報の入力による認証を受けることができ、盗難防止効果を高めることができる表示装置付電子機器、その制御方法及び制御プログラムを提供することにある。
【課題を解決するための手段】
【００１１】
以上のような目的を達成するために、請求項１の発明は、表示画面を備え、前記表示画面が機器に収納される閉状態と、前記表示画面が視認可能な開状態との間を変位可能な表示装置と、前記表示装置を駆動する駆動機構と、を有する表示装置付電子機器において、認証情報を記憶する認証情報記憶手段と、前記開状態のときに、認証情報を入力する入力手段と、前記入力手段により入力された認証情報と、前記認証情報記憶手段に記憶された認証情報とが一致するか否かを判定する判定手段と、前記判定手段により認証情報が一致しないと判定された場合に、前記表示装置が閉状態となるように、前記駆動機構に指示する閉指示手段と、を有することを特徴とする。
【００１２】
以上のような請求項１の発明では、認証を受ける際に、表示装置を開状態として、表示画面を見ることができるので、認証情報を入力し、これを確認するための表示ができる。このため、ＤＣＰ等によるハード的な盗難防止ばかりでなく、認証情報によるソフト的な盗難防止を図ることが可能となり、セキュリティを高め、状況に応じて使い分けることもできる。
【００１３】
請求項２の発明は、請求項１の表示装置付電子機器において、前記表示装置が閉状態となった後、機器の機能の全部若しくは一部を不能とする不能手段を有することを特徴とする。
以上のような請求項２の発明では、認証が否定された場合には、表示装置が収納された閉状態で使用不能となるので、改めて認証を行うこともできなくなり、セキュリティを高めることができる。
【００１４】
請求項３の発明は、請求項１又は請求項２の表示装置付電子機器において、認証機能を有効にする切替手段と、前記切替手段から入力があった場合に、前記表示装置が開状態となるように、前記駆動機構に指示する開指示手段と、を有することを特徴とする。
以上のような請求項３の発明では、切替手段の操作によって、表示装置を自動的に開状態とすることができるので、簡単に認証を受けられる。
【００１５】
請求項４の発明は、請求項１〜３のいずれか１項の表示装置付電子機器において、前記表示画面に認証情報の入力画面を表示させる表示制御手段を有することを特徴とする。
以上のような請求項４の発明では、表示画面に表示された入力画面によって、ユーザは、入力状況を目で確認することができるので、ユーザにとって分かり易く、入力作業が簡単となる。
【００１６】
請求項５の発明は、請求項１〜４のいずれか１項の表示装置付電子機器において、前記入力手段は、前記表示画面に設けられたタッチパネルであることを特徴とする。
以上のような請求項５の発明では、タッチパネルを利用して、認証情報の入力ができるので、入力状況の確認や入力作業が、より一層簡単となる。
【００１７】
なお、請求項６及び請求項７は、上記の発明を、方法又はプログラムの観点から捉えたものであり、上記の発明と同様の作用効果が得られる。
【発明の効果】
【００１８】
以上のような本発明によれば、表示装置を収納する機器であっても、認証情報の入力による認証を受けることができ、盗難防止効果を高めることができる表示装置付電子機器、その制御方法及び制御プログラムを提供できる。
【発明を実施するための最良の形態】
【００１９】
以下に、本発明を適用した表示装置付電子機器の一つの実施の形態（以下、本実施形態とする）について、図面を参照して具体的に説明する。なお、以下の説明においては、図中右側（正面側）を前方、左側（背面側）を後方とする。
【００２０】
［実施形態の構成］
［電子機器］
まず、本実施形態の構成を説明する。すなわち、本実施形態は、図１〜４に示すように、車載用電子機器の本体Ｓ、ディスプレイ１３０（図５参照）を備えた表示パネルＤ、操作ボタン等を備えた操作パネルＰを備えている。
【００２１】
表示パネルＤは、本体Ｓの内部に収納される閉状態（図１）と、本体Ｓから水平に突出する状態（図２）、本体Ｓの前面に立ち上がる開状態（図３、４）との間を、図示しない駆動機構によって変位可能に構成されている。この駆動機構は、モータ１２０（図５参照）によって作動するが、その具体的構成は、種々考えられるものであり、説明は省略する。表示パネルＤに設けられたディスプレイ１３０は、タッチパネルとしての機能を有しているものとする。
【００２２】
また、操作パネルＰは、本体Ｓに着脱可能に設けられている。この操作パネルＰを着脱させるための具体的構成は、例えば、上記の従来技術と同様であってもよいし、他の構成であってもよい。なお、操作パネルＰには、表示パネルＤを開閉させる開閉スイッチ１１０（図５参照）が設けられている。
【００２３】
［制御装置］
次に、上記の各部を制御する制御装置の構成を説明する。すなわち、図５に示すように、制御装置１００は、開閉スイッチ１１０、モータ１２０、ディスプレイ１３０に接続されている。制御装置１００は、記憶部１０１、判定部１０２、開閉指示部１０３、表示制御部１０４、不能部１０５を有している。
【００２４】
記憶部１０１は、認証のためのＣＡＴＳコード、ＣＡＴＳコードの入力を試行できる回数等をあらかじめ記憶する手段である。判定部１０２は、タッチパネルから入力されたＣＡＴＳコードと、記憶部１０１に記憶されたＣＡＴＳコードとが一致するか否かを判定する手段である。開閉指示部１０３は、開閉スイッチ１１０の切替若しくは判定部１０２の判定結果に応じて、モータ１２０に表示パネルＤの開閉を指示する手段である。
【００２５】
表示制御部１０４は、ＣＡＴＳコードの入力画面を、ディスプレイ１３０に表示させる手段である。不能部１０５は、判定部１０２の判定結果に応じて、電子機器の機能を停止させる手段である。
【００２６】
なお、制御装置は、例えば、専用の電子回路若しくは所定のプログラムで動作するコンピュータ等によって実現できる。従って、以下に説明する手順で本装置の動作を制御するためのコンピュータプログラム及びこれを記録した記録媒体も、本発明の一態様である。
【００２７】
［実施形態の作用］
本実施形態は、本体Ｓを、車に取り付けた時のバッテリー接続後若しくは表示パネルＤが閉状態（収納状態）のときの電源投入後、表示パネルＤを一度開状態として、入力画面を表示し、ＣＡＴＳコードの入力による認証を可能としたものである。
【００２８】
上記の処理の詳細を、図１〜４の構成図、図６のフローチャートを参照して説明する。まず、本体Ｓを車に取り付けた時にバッテリーを接続したとき若しくは既に本体Ｓに取り付けられて表示パネルＤが閉状態のときには（ステップ６０１）、図１に示すような状態である。
【００２９】
この閉状態で、開閉スイッチ１１０がＯＮにされると（ステップ６０２）、開閉指示部１０３がモータ１２０に表示パネルＤの開動作を指示する（ステップ６０３）。これにより、図２〜４に示すように、表示パネルＤが前方に突出しながら立ち上がる動作を行い、ディスプレイ１３０の表示画面が前方に向かう開状態となる。
【００３０】
次に、表示制御部１０４が、認証用の表示画面（入力フォーム、文字キー等のインタフェース）を、ディスプレイ１３０に表示させる（ステップ６０４）。ユーザは、表示画面を見ながら、タッチパネルを用いて、ＣＡＴＳコードを入力する（ステップ６０５）。
【００３１】
判定部１０２は、入力されたＣＡＴＳコードと、記憶部１０１に記憶されたＣＡＴＳコードとを照合して（ステップ６０６）、一致すると判定した場合には、電源ＯＮ若しくは通常動作に移行する（ステップ６１２）。つまり、認証に成功したことにより、機器が使用可能となる。
【００３２】
判定部１０２が一致しないと判定した場合には（ステップ６０６）、試行の許容回数を示すカウンタがインクリメントされる（ステップ６０７）。カウンタが所定回数内にある場合には、再度の入力が可能となる（ステップ６０５〜６０７）。カウンタが所定回数を超えた場合は、開閉指示部１０３は、モータ１２０に、表示パネルＤが閉状態となるように、動作を指示する（ステップ６０９）。そして、不能部１０５は、機器の動作を不能とする（ステップ６１０）。
【００３３】
このように、動作不能状態となった機器は、メーカー若しくは販売店による解除処理を行うことにより（ステップ６１１）、使用可能となり、上記の認証を受けることにより、動作させることができる（ステップ６０１〜６１２）。
【００３４】
［実施形態の効果］
以上のような本実施形態によれば、小型の１ＤＩＮサイズの電子機器であってディスプレイ１３０を収納するタイプのものに、ＣＡＴＳコード等の認証機能を搭載しても、ディスプレイ１３０の表示画面を見ることができるので、認証情報の入力、確認に支障がなく、セキュリティを高めることが可能となる。
【００３５】
また、ＤＣＰとＣＡＴＳコードにより、２種の盗難防止対策をとることができるので、両方を用いて盗難防止を確実にしたり、状況に応じていずれか一方を用いて簡便な盗難防止を図るなど、種々の対応が可能となる。
【００３６】
［他の実施形態］
本発明は、上記のような実施形態に限定されるものではない。例えば、表示装置を開閉させる機構は、種々のものが適用可能であり、特定の機構には限定されない。また、収納の態様も、上記の実施形態で例示したものには限定されない。
【００３７】
開閉スイッチを省略して、バッテリー接続若しくは電源投入により、表示装置がＯＰＥＮとなり、認証情報を入力できるようにしてもよい。つまり、請求項の切替手段は、表示装置の開閉用のスイッチには限定されず、電源スイッチ等であってもよい。
【００３８】
上記の実施形態では、認証情報を入力できる回数を所定回数としたが、これを１回だけとすることもできる。また、上記の実施形態では、認証を受けるために表示パネルをＯＰＥＮとできるのは１回だけであり、これによりセキュリティを高めることができるが、複数回できる構成とすることも可能である。
【００３９】
上記の実施形態では、認証を受ける情報として、ＣＡＴＳコードを用いたが、ユーザが任意のパスワード等を登録できるようにして、これにより認証を受けるようにしてもよい。認証情報を入力する手段も、タッチパネルには限定されず、機器のパネルに設けられたスイッチやリモコンから入力できるようにしてもよい。
【００４０】
認証情報が一致しない場合に、不能手段により不能とする機能は、機器の全部若しくは一部であってもよい。例えば、電源そのものが入らないようにして、機能を停止させてもよいし、表示装置を開閉させる駆動機構が作動しないようにしてもよいし、操作パネルが機能しないようにしてもよい。電気的な接続を解除するようにしてもよいし、プログラムで機能を抑制するようにしてもよい。
【００４１】
さらに、本発明は、車載用の電子機器に適しているが、これに限定されるものではなく、収納型の表示装置を備える電気・電子その他の機器に広く適用可能である。従って、据置型、ポータブル型等、種々の装置にも適用可能である。
【図面の簡単な説明】
【００４２】
【図１】本発明の一実施形態の表示パネル収納状態を示す側面図である。
【図２】図１の実施形態の表示パネル突出状態を示す側面図である。
【図３】図１の実施形態の表示パネル立ち上げ途中を示す側面図である。
【図４】図１の実施形態の表示パネル立ち上げ状態を示す側面図である。
【図５】図１の実施形態の制御装置を示すブロック図である。
【図６】図１の実施形態の認証手順を示すフローチャートである。
【図７】従来のＤＣＰの一例を示す正面側斜視図である。
【図８】図７の従来例のＤＣＰ取り外し状態を示す正面側斜視図である。
【図９】図７の従来例のＤＣＰ取り付け方法を示す正面側斜視図である。
【符号の説明】
【００４３】
１００…制御装置
１０１…記憶部
１０２…判定部
１０３…開閉指示部
１０４…表示制御部
１０５…不能部
１１０…開閉スイッチ
１２０…モータ
１３０…ディスプレイ
Ｄ…表示パネル
Ｐ…操作パネル
Ｓ…本体
【図１】
2008242051.tif 000003
【図２】
2008242051.tif 000004
【図３】
2008242051.tif 000005
【図４】
2008242051.tif 000006
【図５】
2008242051.tif 000007
【図６】
2008242051.tif 000008
【図７】
2008242051.tif 000009
【図８】
2008242051.tif 000010
【図９】
2008242051.tif 000011